(57)【要約】【課題】他の記録媒体へのムーブによってダウンコンバートされたコンテンツを元の画質に戻すことのできる記録装置を提供する。【解決手段】出力部１１は、記憶部１９からのダウンコンバートを伴うムーブにおいて、記憶部１９に記録されているコンテンツである高品質データを低品質データにダウンコンバートし、高品質データを低品質データがなければ再生できない状態に変換する。そして、出力部１１は、再生できない状態の高品質データを記憶部１９に残して、低品質データを他の記録媒体に出力する。入力部１２は、記憶部１９への低品質データのムーブにおいて、その低品質データがなければ再生できない状態の高品質データが記憶部に存在していれば、その低品質データを用いて高品質データを再生できる状態に戻す。【選択図】図１
2007193654.tif 000002
【特許請求の範囲】
【請求項１】
コピーワンス対応のコンテンツ記録装置であって、
記憶部からのダウンコンバートを伴うムーブにおいて、前記記憶部に記録されているコンテンツである高品質データを低品質データにダウンコンバートし、該高品質データを該低品質データがなければ再生できない状態に変換し、再生できない状態の前記高品質データを前記記憶部に残して、前記低品質データを他の記録媒体に出力する出力部と、
前記記憶部への前記低品質データのムーブにおいて、該低品質データがなければ再生できない状態の前記高品質データが前記記憶部に存在していれば、該低品質データを用いて該高品質データを再生できる状態に戻す入力部とを有するコンテンツ記録装置。
【請求項２】
前記出力部は、
前記記憶部の前記高品質データを前記低品質データにダウンコンバートするダウンコンバート部と、
前記ダウンコンバート部で得られた前記低品質データから暗号キーを取り出す第１のキー取出部と、
前記キー取出部で取り出された前記暗号キーを用いて前記高品質データを暗号化し、該暗号キーで復号しないと再生できない状態に変換する暗号化部とを有し、
前記入力部は、
前記記憶部へムーブされる低品質データに含まれている暗号キーで暗号化された高品質データが前記記憶部に残っているか確認するチェック部と、
前記チェック部にて、暗号化された前記高品質データが残っていることが確認された前記低品質データから前記暗号キーを取り出す第２のキー取出部と、
前記第２のキー取出部で取り出された前記暗号キーを用いて、暗号化された前記高品質データを再生できる状態に復号する復号部とを有する、請求項１に記載のコンテンツ記録装置。
【請求項３】
前記第１のキー取出部および前記第２のキー取出部は前記低品質データの一部を前記暗号キーとして取り出す、請求項２に記載のコンテンツ記録装置。
【請求項４】
前記第１のキー取出部および前記第２のキー取出部は前記低品質データのヘッダ部以外の部分を含む一部を前記暗号キーとして取り出す、請求項３に記載のコンテンツ記録装置。
【請求項５】
前記第１のキー取出部および前記第２のキー取出部は前記低品質データの複数の部分を前記暗号キーとして取り出す、請求項３または４に記載のコンテンツ記録装置。
【請求項６】
前記第１のキー取出部および前記第２のキー取出部は前記低品質データのハッシュ値を前記暗号キーとして取り出す、請求項２に記載のコンテンツ記録装置。
【請求項７】
前記出力部は、
前記記憶部の前記高品質データを前記低品質データにダウンコンバートするダウンコンバート部と、
前記記憶部の前記高品質データの一部分を削除し、該高品質データを不完全な状態にする元データ分解部と、
前記元データ分解部で前記高品質データから削除された前記一部分を、前記ダウンコンバート部で得られた前記低品質データに挿入するデータ挿入部とを有し、
前記入力部は、
前記記憶部へムーブされる低品質データに、前記記憶部に残っている不完全な高品質データから削除された一部分が挿入されているか確認するチェック部と、
前記チェック部にて、不完全な前記高品質データから削除された一部分が挿入されていることが確認された前記低品質データから該一部分を取り出す挿入データ取出部と、
前記第２のキー取出部で取り出された前記一部分を不完全な前記高品質データに挿入し、該高品質データを再生できる状態に復元する元データ復元部とを有する、請求項１に記載のコンテンツ記録装置。
【請求項８】
前記元データ分解部は、前記高品質データの複数の部分を削除する、請求項７に記載のコンテンツ記録装置。
【請求項９】
前記出力部は、
暗号キーを生成するキー生成部と、
前記記憶部の前記高品質データを前記低品質データにダウンコンバートするダウンコンバート部と、
前記ダウンコンバート部で得られた前記低品質データに前記暗号キーを挿入するキー挿入部と、
前記キー生成部で生成された前記暗号キーを用いて前記高品質データを暗号化し、該暗号キーで復号しないと再生できない状態に変換する暗号化部とを有し、
前記入力部は、
前記記憶部へムーブされる低品質データに含まれている暗号キーで暗号化された高品質データが前記記憶部に残っているか確認するチェック部と、
前記チェック部にて、暗号化された前記高品質データが残っていることが確認された前記低品質データから前記暗号キーを取り出すキー取出部と、
前記キー取出部で取り出された前記暗号キーを用いて、暗号化された前記高品質データを再生できる状態に復号する復号部とを有する、請求項１に記載のコンテンツ記録装置。
【請求項１０】
前記キー挿入部は、前記低品質データに前記暗号キーを電子透かしとして挿入し、
前記キー取出部は、前記低品質データから、電子透かしとして挿入されている前記暗号キーを取り出す、請求項９に記載のコンテンツ記録装置。
【請求項１１】
コピーワンス対応のコンテンツ記録装置におけるコンテンツ処理方法であって、
記憶部からのダウンコンバートを伴うムーブにおいて、
前記記憶部に記録されているコンテンツである高品質データを低品質データにダウンコンバートするステップと、
該高品質データを該低品質データがなければ再生できない状態に変換するステップと、
再生できない状態の前記高品質データを前記記憶部に残して、前記低品質データを他の記録媒体に出力するステップと、
前記記憶部への前記低品質データのムーブにおいて、
該低品質データがなければ再生できない状態の前記高品質データが残っているか否か判定するステップと、
該低品質データがなければ再生できない状態の前記高品質データが前記記憶部に存在していれば、該低品質データを用いて該高品質データを再生できる状態に戻すステップとを有するコンテンツ処理方法。
【請求項１２】
前記低品質データから取り出した暗号キーを用いて前記高品質データを暗号化し、該暗号キーで復号しないと再生できない状態に変換する、請求項１１に記載のコンテンツ処理方法。
【請求項１３】
前記低品質データの一部を前記暗号キーとして取り出す、請求項１２に記載のコンテンツ処理方法。
【請求項１４】
前記低品質データのハッシュ値を前記暗号キーとして取り出す、請求項１２に記載のコンテンツ処理方法。
【請求項１５】
前記記憶部の前記高品質データの一部分を削除して該高品質データを不完全な状態にし、該高品質データから削除された前記一部分を前記低品質データに挿入する、請求項１１に記載のコンテンツ処理方法。
【請求項１６】
暗号キーを生成して前記低品質データに前記暗号キーを挿入し、前記暗号キーを用いて前記高品質データを暗号化し、該暗号キーで復号しないと再生できない状態に変換する、請求項１１に記載のコンテンツ処理方法。
【請求項１７】
前記低品質データに前記暗号キーを電子透かしとして挿入する、請求項１６に記載のコンテンツ処理方法。
【請求項１８】
コンピュータにコピーワンス対応のコンテンツを処理させるためのプログラムであって、
記憶部からのダウンコンバートを伴うムーブにおいて、
前記記憶部に記録されているコンテンツである高品質データを低品質データにダウンコンバートする手順と、
該高品質データを該低品質データがなければ再生できない状態に変換する手順と、
再生できない状態の前記高品質データを前記記憶部に残して、前記低品質データを他の記録媒体に出力する手順と、
前記記憶部への前記低品質データのムーブにおいて、
該低品質データがなければ再生できない状態の前記高品質データが前記記憶部に存在しているか否か判定する手順と、
該低品質データがなければ再生できない状態の前記高品質データが前記記憶部に存在していれば、該低品質データを用いて該高品質データを再生できる状態に戻す手順とをコンピュータに実行させるためのプログラム。
【発明の詳細な説明】
【技術分野】
【０００１】
本発明は、デジタルコンテンツを記録する装置に関し、特に、コピーワンス対応のコンテンツ記録装置に関する。
【背景技術】
【０００２】
デジタルのコンテンツは、その性質上、コピーしても画質が劣化しないので、自由なコピーを認めれば著作権の保護に関して問題を生じる恐れがある。このデジタルコンテンツの著作権保護の問題に関して、従来、様々な対策技術が提案されている（例えば特許文献１、２参照）。
【０００３】
デジタル放送においても近年では著作権保護のためにコンテンツにコピーコントロール情報を付加して配信するようになってきている。代表的なコピーコントロール技術として、ＤＶＤ規格で採用されているＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）規格がある。
【０００４】
ＣＰＲＭによれば、コンテンツに含まれるコピーコントロール情報をチェックし、記録してよいかどうかが判断される。コピーコントロール情報が付加されたコンテンツを記録するには、そのコピーコントロールに対応した記録装置を用いる必要がある。
【０００５】
例えば、「１回だけ記録可能（コピーワンス：ＣｏｐｙＯｎｃｅ）」である旨のコピーコントロール情報が付加されたコンテンツ（コピーワンスコンテンツ）であれば、記録装置はそのコンテンツをハードディスクに記録することができる。その際、記録されたコンテンツのコピーコントロール情報は「コピー禁止（ＮｏＭｏｒｅＣｏｐｙ）」に置き換えられる。
【０００６】
コピー禁止である旨のコピーコントロール情報が付加されたコンテンツは、それをさらにコピーすることができない。そのため、デジタル放送から記録装置のハードディスクに一旦記録したコンテンツをＤＶＤなど他の記録媒体に記録するには、コピーではなく、「ムーブ」をしなければならないこととなる。
【０００７】
「ムーブ」は、元の記録媒体から他の記録媒体にコンテンツを移動するものであり、元の記録媒体からはコンテンツが消去される。コピー禁止のコンテンツでも、このムーブは可能である。具体例として、デジタル放送からハードディスクに記録したコンテンツをＤＶＤに記録しなおす場合、あるいは携帯端末に移す場合が考えられる。
【０００８】
デジタル放送で配信されたハイビジョンのコンテンツ（ＨＤコンテンツ）を、ＳＤ（スタンダードディフィニション）のみに対応した従来のＤＶＤや携帯端末にムーブすると、移動先の記録媒体に合わせてＳＤ画質のコンテンツ（ＳＤコンテンツ）にダウンコンバートされる。ダウンコンバートとは、高品質のコンテンツをそれよりも品質の低いコンテンツに変換することである。
【０００９】
ダウンコンバートによりＨＤからＳＤ（あるいはＣＩＦ／ＱＣＩＦなど）に変換することで、そのコンテンツを携帯端末など他の装置で視聴することが可能となる。
【特許文献１】特開２００２−１９６９８２号公報
【特許文献２】特開２００４−１０２７８９号公報
【発明の開示】
【発明が解決しようとする課題】
【００１０】
上述したように、ＨＤコンテンツをＳＤ画質の記録媒体にムーブすると、ＨＤコンテンツはＳＤ画質にダウンコンバートされ、携帯端末などで視聴ができるようになる。しかし、従来の記録装置では、一旦、ＳＤコンテンツにダウンコンバートされると、そのコンテンツを元の記録装置のハードディスクに再びムーブしても元のＨＤ画質に戻ることはなく、ＨＤ画質で視聴することができなくなる。
【００１１】
本発明の目的は、他の記録媒体へのムーブによってダウンコンバートされたコンテンツを元の画質に戻すことのできる記録装置を提供することである。
【課題を解決するための手段】
【００１２】
上記目的を達成するために、本発明のコンテンツ記録装置は、
コピーワンス対応のコンテンツ記録装置であって、
記憶部からのダウンコンバートを伴うムーブにおいて、前記記憶部に記録されているコンテンツの高品質データを低品質データにダウンコンバートし、該高品質データを該低品質データがなければ再生できない状態に変換し、再生できない状態の前記高品質データを前記記憶部に残して、前記低品質データを他の記録媒体に出力する出力部と、
前記記憶部への前記低品質データのムーブにおいて、該低品質データがなければ再生できない状態の前記高品質データが前記記憶部に存在していれば、該低品質データを用いて該高品質データを再生できる状態に戻す入力部とを有している。
【００１３】
本発明によれば、他の記憶媒体への「ムーブ」において、高品質データを低品質データが無いと再生できない状態に変換して残しておき、他の記憶媒体からコンテンツ記録装置への「ムーブ」において、低品質データを用いて、残しておいた高品質データを再生できる状態に戻すので、他の記録媒体へのムーブによってダウンコンバートしたコンテンツが再び元のコンテンツ記録装置にムーブされてきたとき元の品質に戻すことができる。
【００１４】
また、前記出力部は、
前記記憶部の前記高品質データを前記低品質データにダウンコンバートするダウンコンバート部と、
前記ダウンコンバート部で得られた前記低品質データから暗号キーを取り出す第１のキー取出部と、
前記キー取出部で取り出された前記暗号キーを用いて前記高品質データを暗号化し、該暗号キーで復号しないと再生できない状態に変換する暗号化部とを有し、
前記入力部は、
前記記憶部へムーブされる低品質データに含まれている暗号キーで暗号化された高品質データが前記記憶部に残っているか確認するチェック部と、
前記チェック部にて、暗号化された前記高品質データが残っていることが確認された前記低品質データから前記暗号キーを取り出す第２のキー取出部と、
前記第２のキー取出部で取り出された前記暗号キーを用いて、暗号化された前記高品質データを再生できる状態に復号する復号部とを有することとしてもよい。
【００１５】
また、前記第１のキー取出部および前記第２のキー取出部は前記低品質データの一部を前記暗号キーとして取り出すこととしてもよい。
【００１６】
また、前記第１のキー取出部および前記第２のキー取出部は前記低品質データのヘッダ部以外の部分を含む一部を前記暗号キーとして取り出すこととしてもよい。
【００１７】
これによれば、複数のコンテンツで暗号キーが重複する可能性を低減することができる。
【００１８】
また、前記第１のキー取出部および前記第２のキー取出部は前記低品質データの複数の部分を前記暗号キーとして取り出すこととしてもよい。
【００１９】
これによれば、似た画像を含む複数のコンテンツで暗号キーが重複する可能性を低減することができる。
【００２０】
また、前記第１のキー取出部および前記第２のキー取出部は前記低品質データのハッシュ値を前記暗号キーとして取り出すこととしてもよい。
【００２１】
これによれば、ハッシュ値を用いているので、複数のコンテンツで暗号キーが重複する可能性が極めて低い。また、低品質データの全体が無ければハッシュ値を求めることができないので、高品質データの復号がより困難である。
【００２２】
また、前記出力部は、
前記記憶部の前記高品質データを前記低品質データにダウンコンバートするダウンコンバート部と、
前記記憶部の前記高品質データの一部分を削除し、該高品質データを不完全な状態にする元データ分解部と、
前記元データ分解部で前記高品質データから削除された前記一部分を、前記ダウンコンバート部で得られた前記低品質データに挿入するデータ挿入部とを有し、
前記入力部は、
前記記憶部へムーブされる低品質データに、前記記憶部に残っている不完全な高品質データから削除された一部分が挿入されているか確認するチェック部と、
前記チェック部にて、不完全な前記高品質データから削除された一部分が挿入されていることが確認された前記低品質データから該一部分を取り出す挿入データ取出部と、
前記第２のキー取出部で取り出された前記一部分を不完全な前記高品質データに挿入し、該高品質データを再生できる状態に復元する元データ復元部とを有することとしてもよい。
【００２３】
これによれば、単純かつ容易な構成で、他の記録媒体へのムーブによってダウンコンバートしたコンテンツが再びムーブされてきたとき元の品質に戻すことができる装置を提供できる。
【００２４】
また、前記元データ分解部は、前記高品質データの複数の部分を削除することとしてもよい。
【００２５】
また、前記出力部は、
暗号キーを生成するキー生成部と、
前記記憶部の前記高品質データを前記低品質データにダウンコンバートするダウンコンバート部と、
前記ダウンコンバート部で得られた前記低品質データに前記暗号キーを挿入するキー挿入部と、
前記キー生成部で生成された前記暗号キーを用いて前記高品質データを暗号化し、該暗号キーで復号しないと再生できない状態に変換する暗号化部とを有し、
前記入力部は、
前記記憶部へムーブされる低品質データに含まれている暗号キーで暗号化された高品質データが前記記憶部に残っているか確認するチェック部と、
前記チェック部にて、暗号化された前記高品質データが残っていることが確認された前記低品質データから前記暗号キーを取り出すキー取出部と、
前記キー取出部で取り出された前記暗号キーを用いて、暗号化された前記高品質データを再生できる状態に復号する復号部とを有することとしてもよい。
【００２６】
また、前記キー挿入部は、前記低品質データに前記暗号キーを電子透かしとして挿入し、
前記キー取出部は、前記低品質データから、電子透かしとして挿入されている前記暗号キーを取り出すこととしてもよい。
【００２７】
これによれば、電子透かし技術を用いて暗号キーをコンテンツのデータに挿入するので、コンテンツ記録装置から出力された低品質データが更にダウンコンバートされた状態で「ムーブ」されてきた場合でも、残しておいた高品質データのコンテンツを復号することができる。
【発明の効果】
【００２８】
本発明によれば、他の記録媒体へのムーブによってダウンコンバートしたコンテンツが再び元のコンテンツ記録装置にムーブされてきたとき元の品質に戻すことができる。
【発明を実施するための最良の形態】
【００２９】
本発明を実施するための形態について図面を参照して詳細に説明する。
【００３０】
本発明の実施形態として示すコンテンツ記録装置は、内部の記憶部に記録されているコンテンツをダウンコンバートを伴って他の記録媒体に「ムーブ」するとき、ダウンコンバートしたデータを他の記録媒体に出力する。「ムーブ」では、このとき元のコンテンツを記憶部から削除しなければならないが、本実施形態ではコンテンツを記憶部から削除せず、その代わりに再生できない状態に変換する。再生できない状態に変換されたコンテンツは、他の記録媒体に出力されたデータが無ければ、元の再生できる状態に戻すことができない。この変換によってコンテンツが不正に複製されるのを防止している。
【００３１】
そして、他の記録媒体に一旦出力したデータを内部の記録部に「ムーブ」するとき、本実施形態のコンテンツ記録装置は、戻ってきたダウンコンバートされたコンテンツのデータを用いて、記憶部に再生できない状態で残しておいたコンテンツを再生できる状態に戻す。「ムーブ」をするために一旦品質を下げたコンテンツがコンテンツ記録装置に戻ってきたとき、コンテンツ記録装置はそのコンテンツを元の高い品質に戻すことができる。
【００３２】
（第１の実施形態）
図１は、第１の実施形態によるコンテンツ記録装置の構成を示すブロック図である。図１を参照すると、コンテンツ記録装置１０は、出力部１１、入力部１２、および記憶部１９を有している。出力部１１は、ダウンコンバート部１３、キー取出部１４、および暗号化部１５を有している。入力部１２は、ＩＤチェック部１６、キー取出部１７、および復号部１８を有している。
【００３３】
出力部１１は、記憶部１９から他の記憶媒体への「ムーブ」において、記憶部１９に格納されているコピーコントロール情報の付加されたコンテンツを取り出し、他の記録媒体に出力する。その際、出力部１１は、他の記録媒体に合わせて必要があれば、コンテンツをダウンコンバートしたコンテンツを出力する。ダウンコンバートして出力するとき、出力部１１は、記憶部１９からそのコンテンツを削除せず、暗号化して再生できない状態にして記憶部１９に残す。出力部１１は、ダウンコンバートされたコンテンツから得られた暗号キーを暗号化に用いる。
【００３４】
入力部１２は、他の記録媒体から記憶部１９への「ムーブ」において、他の記憶媒体からのコンテンツのＩＤをチェックし、過去に記憶装置１９から他の記録媒体への「ムーブ」の処理において暗号化したコンテンツであり、暗号化したコンテンツのデータが記憶部１９に残っているか確認する。ダウンコンバートを伴って記憶装置１９から他の記録媒体に「ムーブ」したコンテンツであり、暗号化されたコンテンツが記憶部１９に残っていれば、入力部１２は、他の記録媒体からのコンテンツより暗号キーを取り出し、記憶部１９内の暗号化されたコンテンツをその暗号キーを用いて復号する。
【００３５】
出力部１１にあるダウンコンバート部１３は、記憶部１９から他の記憶媒体への「ムーブ」において、記憶部１９に格納されているコピーコントロール情報の付加されたコンテンツを取り出し、他の記憶媒体に合わせてダウンコンバートする。例えば、記憶部１９にあるコンテンツがＨＤコンテンツであり、他の記憶媒体がＳＤのみに対応したものであれば、ダウンコンバート部１３は、ＨＤコンテンツをＳＤのコンテンツ（ＳＤコンテンツ）に変換する。
【００３６】
キー取出部１４は、ダウンコンバート部１３にてダウンコンバートされたコンテンツ（例えばＳＤコンテンツ）から暗号キーを取り出し、その暗号キーを暗号化部１５に与え、ダウンコンバートされたコンテンツのデータを他記録媒体に送る。本実施形態では、一例としてＳＤコンテンツの所定部分を暗号キーとするものとする。キー取出部１４は、ダウンコンバート部１３からのＳＤコンテンツのデータより所定部分を暗号キーとして取り出して暗号化部１５に与える。
【００３７】
暗号キーは、各コンテンツで異なる値になることが好ましい。コンテンツのデータは、ヘッダ部が類似しているのが一般的なので、暗号キーにヘッダ部以外の部分を含むようにしてもよい。これによれば、複数のコンテンツで暗号キーが重複する可能性を低減することができる。また、似た画像を含むコンテンツでも異なる暗号キーとなるように、時間的に分散した複数部分を暗号キーに含めるようにしてもよい。これによれば、似た画像を含む複数のコンテンツで暗号キーが重複する可能性を低減することができる。
【００３８】
暗号化部１５は、キー取出部１４からの暗号キーを用いて記憶部１９内のＨＤコンテンツを暗号化し、再生できない状態にする。
【００３９】
一方、入力部１２にあるＩＤチェック部１６は、他の記録媒体から記憶部１９への「ムーブ」において、他の記憶媒体からのコンテンツのＩＤをチェックし、過去に記憶装置１９からの「ムーブ」において暗号化したコンテンツであり、暗号化したコンテンツのデータが記憶部１９に残っているか確認する。暗号化したコンテンツのデータが記憶部１９に残っていれば、ＩＤチェック部１６は、他の記憶媒体からのコンテンツのデータをキー取出部１７に与える。暗号化したコンテンツのデータが記憶部１９に残っていなければ、ＩＤチェック部１６は、他の記憶媒体からのコンテンツのデータを記憶部１９に格納する。
【００４０】
なお、ＩＤチェック部１６がチェックするＩＤは、コンテンツを識別するための識別情報である。このＩＤとして、記憶部１９に格納する際にコンテンツに付与されたファイル名を用いてもよい。また、ダウンコンバート部１３がコンテンツをダウンコンバートするときに、ファイル名とは別にＩＤを付与することとしてもよい。
【００４１】
キー取出部１７は、ＩＤチェック部１６からのコンテンツのデータから暗号キーを取り出して復号部１８に与える。キーの取り出し方法は、出力部１１のキー取出部１４と同じであり、ダウンコンバートされたコンテンツの所定部分を暗号キーとするというものである。
【００４２】
復号部１８は、キー取出部１７から与えられた暗号キーを用いて、記憶部１９にある暗号化されたコンテンツを復号し、再生可能な状態にする。
【００４３】
図２は、第１の実施形態におけるコンテンツ記録装置から他の記憶媒体への「ムーブ」の動作を示すフローチャートである。図２を参照すると、コンテンツ記録装置１０は、ユーザに指定されたコンテンツのデータを記憶部１９から取り出す（ステップ１０１）。その際、コンテンツ記録装置１０は、記憶部１９上のコンテンツのデータを削除しない。
【００４４】
次に、コンテンツ記録装置１０は、記憶部１９から取り出したコンテンツを、出力先の記憶媒体に合わせてダウンコンバートする（ステップ１０２）。そして、コンテンツ記録装置１０は、ダウンコンバートしたコンテンツのデータから暗号キーを取り出し（ステップ１０３）、その暗号キーを用いて記憶部１９上のコンテンツを暗号化して再生できない状態にする（ステップ１０４）。
【００４５】
図３は、第１の実施形態における他の記憶媒体からコンテンツ記録装置への「ムーブ」の動作を示すフローチャートである。ここでコンテンツ記録装置１０の記憶部１９に「ムーブ」されるコンテンツは、過去に記憶部１９に記録されていたコンテンツをダウンコンバートを伴って他の記憶媒体に移動したものであり、暗号化されたデータが記憶部１９に残っている場合があるものとする。
【００４６】
図３を参照すると、コンテンツ記録装置１０は、他の記憶媒体からコンテンツを取得すると（ステップ２０１）、そのコンテンツのＩＤに基づき、ダウンコンバート前のコンテンツの暗号化されたデータが記憶部１９にあるか否か判定する（ステップ２０２）。
【００４７】
暗号化されたデータが記憶部１９にあれば、コンテンツ記録装置１０は、取得したコンテンツのデータから暗号キーを取り出す（ステップ２０３）。そして、コンテンツ記録装置１０は、記憶部１９に格納されている暗号化されたコンテンツのデータを、その暗号キーを用いて復号する（ステップ２０４）。
【００４８】
一方、暗号化されたデータが記憶部１９になければ、コンテンツ記録装置１０は、取得したコンテンツのデータをそのまま記憶部１９に格納する（ステップ２０５）。
【００４９】
図４Ａは、第１の実施形態におけるコンテンツ記録装置から他の記憶媒体への「ムーブ」の動作を説明するための概念図である。図４Ａを参照すると、ＨＤコンテンツのデータ（ＨＤデータ）をダウンコンバートしたＳＤコンテンツのデータ（ＳＤデータ）から暗号キーが取得される。そして、ＨＤデータは、その暗号キーを用いて暗号化される。そしてＳＤデータは他の記録媒体に「ムーブ」される。
【００５０】
図４Ｂは、第１の実施形態における他の記憶媒体からコンテンツ記録装置への「ムーブ」の動作を説明するための概念図である。ここで「ムーブ」するコンテンツは、暗号化されたデータが記憶部１９に残っているコンテンツである。図４Ｂを参照すると、他の記憶媒体からコンテンツ記憶装置１０にＳＤデータが「ムーブ」されると、コンテンツ記憶装置１０は、そのＳＤデータから暗号キーを取り出し、記憶部１９にある暗号化されたデータを復号する。
【００５１】
以上説明したように、本実施形態によれば、コンテンツ記録装置１０から他の記憶媒体への「ムーブ」において、出力部１１のダウンコンバート部１３がコンテンツをダウンコンバートし、ダウンコンバートされたデータからキー取得部１４が暗号キーを取得し、暗号化部１５がその暗号キーを用いて記憶部１９のコンテンツのデータを暗号化する。また、他の記憶媒体からコンテンツ記録装置１０への「ムーブ」において、入力部１２のＩＤチェック部１６が、他の記憶装置からのコンテンツの暗号化されたデータが記憶部１９に残っているか確認し、残っていれば、キー取出部１７が暗号キーを取り出し、復号部１８が復号する。したがって、本実施形態のコンテンツ記録装置１０は、他の記録媒体へのムーブによってダウンコンバートしたコンテンツが再び元のコンテンツ記録装置１０にムーブされてきたとき、元の品質に戻すことができる。
【００５２】
なお、コンテンツのデータが記録媒体に格納される場合、一般に、データはＣＰＲＭや機器独自の方式で暗号化される。本実施形態においても、記憶部１９や他の記録媒体にコンテンツのデータを格納する場合、書き込み時にデータを暗号化し、読み出し時にデータを復号する処理をするのが好適である。ただし、この処理は本発明の要旨と直接的な関係がないので説明を簡略化するために省略している。また、このことは以下の実施形態についても同様である。
【００５３】
また、本実施形態では、ダウンコンバートの例としてＨＤコンテンツからＳＤコンテンツへの変換を示したが、本発明はこれに限定されるものではない。本発明は、ＨＤコンテンツからＳＤコンテンツへの変換に代表される解像度変換の他、ＭＰＥＧ２からＭＰＥＧ４への変換のような圧縮方式の変換にも広く適用することができる。また、このことは以下の実施形態についても同様である。
【００５４】
（第２の実施形態）
第１の実施形態ではＳＤコンテンツの所定部分を暗号キーとしたが、本発明はこれに限定されるものではない。第２の実施形態では、ＳＤコンテンツのデータのハッシュ値を暗号キーとする。
【００５５】
第２の実施形態によるコンテンツ記録装置の構成は、図１に示した第１の実施形態と同様である。ただし、第２の実施形態では、出力部１１のキー取出部１４と入力部１２のキー取出部１７の動作が第１の実施形態とは異なる。
【００５６】
本実施形態におけるキー取出部１４は、ダウンコンバート部１３にてダウンコンバートされたコンテンツ（例えばＳＤコンテンツ）のハッシュ値を求め、それを暗号キーとし、その暗号キーを暗号化部１５に与え、ダウンコンバートされたコンテンツのデータを他記録媒体に送る。
【００５７】
また、本実施形態におけるキー取出部１７は、ＩＤチェック部１６からのコンテンツのデータから暗号キーを取り出して復号部１８に与える。キーの取り出し方法は、出力部１１のキー取出部１４と同じであり、ダウンコンバートされたコンテンツのハッシュ値を暗号キーとするというものである。
【００５８】
図５Ａは、第２の実施形態におけるコンテンツ記録装置から他の記憶媒体への「ムーブ」の動作を説明するための概念図である。図５Ａを参照すると、ＨＤコンテンツのデータ（ＨＤデータ）をダウンコンバートしたＳＤコンテンツのデータ（ＳＤデータ）のハッシュ値が暗号キーとされる。そして、ＨＤデータは、その暗号キーを用いて暗号化される。そしてＳＤデータは他の記録媒体に「ムーブ」される。
【００５９】
図５Ｂは、第２の実施形態における他の記憶媒体からコンテンツ記録装置への「ムーブ」の動作を説明するための概念図である。ここで「ムーブ」するコンテンツは、暗号化されたデータが記憶部１９に残っているコンテンツである。図５Ｂを参照すると、他の記憶媒体からコンテンツ記憶装置１０にＳＤデータが「ムーブ」されると、コンテンツ記憶装置１０は、そのＳＤデータのハッシュ値を求め、それを暗号キーとして記憶部１９にある暗号化されたデータを復号する。
【００６０】
以上説明したように、本実施形態のコンテンツ記録装置１０は、第１の実施形態と同様に、他の記録媒体へのムーブによってダウンコンバートしたコンテンツが再びムーブされてきたとき、元の品質に戻すことができる。また、本実施形態では、ハッシュ値を用いているので、複数のコンテンツで暗号キーが重複する可能性が極めて低い。また、ダウンコンバートされたコンテンツの全体のデータが無ければハッシュ値を求めることができず、暗号化されたコンテンツのデータを復号できないので、復号がより困難である。
【００６１】
（第３の実施形態）
第１および第２の実施形態では、ダウンコンバートされたコンテンツのデータから暗号化キーを取り出し、その暗号化キーで記憶部１９内のコンテンツのデータを暗号化したが、本発明はこれに限定されるものではない。
【００６２】
第３の実施形態では、記憶部１９内のコンテンツのデータから一部を切り出すことにより、記憶部１９内のコンテンツを不完全なデータにして正常な再生ができない状態にするものである。切り出された部分は、ダウンコンバートされたコンテンツのデータに挿入されるので、ダウンコンバートされたデータが無ければ、記憶部１９内のコンテンツを完全な状態に戻すことができなくなる。再生がより困難となるように、時間的に分散した複数の部分を切り出すこととしてもよい。
【００６３】
図６は、第３の実施形態によるコンテンツ記憶装置の構成を示すブロック図である。図６を参照すると、コンテンツ記録装置２０は、出力部２１、入力部２２、および記憶部１９を有している。出力部２１は、ダウンコンバート部１３、データ挿入部２３、および元データ分解部２４を有している。入力部２２は、ＩＤチェック部１６、挿入データ取出部２５、および元データ復元部２６を有している。
【００６４】
出力部２１は、記憶部１９から他の記憶媒体への「ムーブ」において、記憶部１９に格納されているコピーコントロール情報の付加されたコンテンツを取り出し、他の記録媒体に出力する。その際、出力部２１は、他の記録媒体に合わせて必要があれば、コンテンツをダウンコンバートしたコンテンツを出力する。ダウンコンバートして出力するとき、出力部２１は、記憶部１９からそのコンテンツを完全には削除せず、正常に再生できない不完全な状態にして記憶部１９に残す。
【００６５】
入力部２２は、他の記録媒体から記憶部１９への「ムーブ」において、他の記憶媒体からのコンテンツのＩＤをチェックし、過去に記憶装置１９から他の記録媒体への「ムーブ」の処理において不完全化したコンテンツであり、不完全化したコンテンツのデータが記憶部１９に残っているか確認する。ダウンコンバートを伴って記憶装置１９から他の記録媒体に「ムーブ」したコンテンツであり、不完全化されたコンテンツが記憶部１９に残っていれば、入力部２２は、他の記録媒体からのコンテンツに挿入された部分を取り出し、記憶部１９内のコンテンツのデータに戻して完全な状態に復元する。
【００６６】
出力部２１のダウンコンバート部１３と入力部２２のＩＤチェック部１６は第１、２の実施形態と同じものである。
【００６７】
出力部２１にある元データ分解部２４は、記憶部１９内のコンテンツのデータから一部を削除し、削除した部分のデータ（切り出しデータ）をデータ挿入部２３に与える。一部が削除されたコンテンツのデータは正常な再生ができなくなる。再生をより困難にするために、記憶部１９のコンテンツのデータから時間的に分散した複数部分を削除するようにしてもよい。
【００６８】
データ挿入部２３は、元データ分解部２４から与えられた切り出しデータを、ダウンコンバート部１３でダウンコンバートされたコンテンツのデータに挿入する。切り出しデータの挿入位置は予め定められているものとする。一例としてＳＤコンテンツのプライベートパケットに切り出しデータを挿入することとしてもよい。
【００６９】
一方、入力部１２にある挿入データ取出部２５は、ＩＤチェック部１６からのコンテンツのデータから、そこに挿入されている切り出しデータを取り出して元データ復元部２６に与える。切り出しデータの挿入位置は予め定められている。
【００７０】
元データ復元部２６は、挿入データ取出部２５から与えられた切り出しデータを、記憶部１９にある不完全化されたコンテンツのデータに戻し、コンテンツを再生可能な状態にする。
【００７１】
図７Ａは、第３の実施形態におけるコンテンツ記録装置から他の記憶媒体への「ムーブ」の動作を説明するための概念図である。図７Ａを参照すると、ＨＤデータから一部（切り出しデータ）が削除され、ＨＤデータをダウンコンバートしたＳＤデータに、その削除した部分（切り出しデータ）が挿入される。そしてＳＤデータは他の記録媒体に「ムーブ」される。
【００７２】
図７Ｂは、第３の実施形態における他の記憶媒体からコンテンツ記録装置への「ムーブ」の動作を説明するための概念図である。ここで「ムーブ」するコンテンツは、不完全化されたデータが記憶部１９に残っているコンテンツである。図７Ｂを参照すると、他の記憶媒体からコンテンツ記憶装置２０にＳＤデータが「ムーブ」されると、コンテンツ記憶装置２０は、そのＳＤデータに挿入されている切り出しデータを取り出し、記憶部１９にある不完全化されたデータに挿入してコンテンツを復元する。
【００７３】
以上説明したように、本実施形態のコンテンツ記録装置２０は、他の記録媒体へのムーブによってダウンコンバートしたコンテンツが再びムーブされてきたとき、元の品質に戻すことができる。また、暗号化および復号や、ハッシュ関数の演算などの複雑な処理が必要ないので、単純かつ容易に構成することができる。
【００７４】
なお、本実施形態では、記憶部１９内のコンテンツのデータから一部を削除することでコンテンツを正常な再生ができない状態にするものであるが、コンテンツのデータをどのように削除するかは任意である。ただし、コンテンツとしての利用ができない程度にデータを削除することが好ましい。また、コンテンツのデータから一部を削除すると共に、暗号化を施して再生をより困難にすることとしてもよい。
【００７５】
（第４の実施形態）
第１および第２の実施形態では、ダウンコンバートされたコンテンツのデータから暗号キーを取り出したが、本発明はこれに限定されるものではない。
【００７６】
第４の実施形態では、別途生成した暗号キーを用いて記憶部１９内のコンテンツのデータを暗号化すると共に、その暗号キーをダウンコンバートされたコンテンツのデータの挿入するものである。暗号キーの挿入には、一例として電子透かし技術が用いられる。すなわち、ダウンコンバートされたコンテンツのデータに電子透かしとして暗号キーが挿入される。暗号キーがダウンコンバートされたコンテンツのデータに電子透かしとして挿入されるので、そのダウンコンバートされたデータが無ければ、記憶部１９内のコンテンツを復号することができなくなる。
【００７７】
図８は、第４の実施形態によるコンテンツ記憶装置の構成を示すブロック図である。図８を参照すると、コンテンツ記録装置３０は、出力部３１、入力部３２、および記憶部１９を有している。出力部３１は、ダウンコンバート部１３、電子透かし挿入部３４、キー生成部３３、および暗号化部１５を有している。入力部３２は、ＩＤチェック部１６、キー取出部３５、および復号部１８を有している。
【００７８】
出力部３１は、記憶部１９から他の記憶媒体への「ムーブ」において、記憶部１９に格納されているコピーコントロール情報の付加されたコンテンツを取り出し、他の記録媒体に出力する。その際、出力部３１は、他の記録媒体に合わせて必要があれば、コンテンツをダウンコンバートしたコンテンツを出力する。ダウンコンバートして出力するとき、出力部３１は、記憶部１９からそのコンテンツを削除せず、キー生成部３３で生成された暗号キーを用いて暗号化して記憶部１９に残す。また、出力部３１は、電子透かし挿入部３４で、ダウンコンバートされたコンテンツのデータに暗号キーを挿入してから出力する。
【００７９】
入力部３２は、他の記録媒体から記憶部１９への「ムーブ」において、他の記憶媒体からのコンテンツのＩＤをチェックし、過去に記憶装置１９から他の記録媒体への「ムーブ」の処理において暗号化したコンテンツであり、暗号化したコンテンツのデータが記憶部１９に残っているか確認する。ダウンコンバートを伴って記憶装置１９から他の記録媒体に「ムーブ」したコンテンツであり、暗号化されたコンテンツが記憶部１９に残っていれば、入力部３２は、他の記録媒体からのコンテンツに電子透かしとして挿入されている暗号キーを取り出し、記憶部１９内のコンテンツのデータを復号して再生可能な状態にする。
【００８０】
出力部３１のダウンコンバート部１３および暗号化部１５と入力部２２のＩＤチェック部１６および復号部１８は第１の実施形態と同じものである。
【００８１】
出力部３１にあるキー生成部３４は暗号キーを生成し、暗号化部１５および電子透かし挿入部３４に与える。
【００８２】
暗号化部１５は、キー生成部３３からの暗号キーを用いて記憶部１９内のＨＤコンテンツを暗号化し、再生できない状態にする。
【００８３】
電子透かし挿入部３４は、キー生成部３３からの暗号キーを電子透かしとして、ダウンコンバート部１３でダウンコンバートされたコンテンツのデータに挿入し、電子透かしを挿入したコンテンツのデータを出力する。
【００８４】
一方、入力部３２にあるキー取出部３５は、ＩＤチェック部１６からのコンテンツのデータに電子透かしとして挿入されている暗号キーを取り出し、復号部１８に与える。
【００８５】
図９Ａは、第４の実施形態におけるコンテンツ記録装置から他の記憶媒体への「ムーブ」の動作を説明するための概念図である。図９Ａを参照すると、別途生成された暗号キーを用いてＨＤデータが暗号化される。また、ＨＤデータがダウンコンバートされたＳＤデータに暗号キーが電子透かし（ＷＭ：Ｗａｔｅｒ  Ｍａｒｋ）として挿入される。そしてＳＤデータは他の記録媒体に「ムーブ」される。
【００８６】
図９Ｂは、第４の実施形態における他の記憶媒体からコンテンツ記録装置への「ムーブ」の動作を説明するための概念図である。ここで「ムーブ」するコンテンツは、暗号化されたデータが記憶部１９に残っているコンテンツである。図９Ｂを参照すると、他の記憶媒体からコンテンツ記憶装置３０にＳＤデータが「ムーブ」されると、コンテンツ記憶装置３０は、そのＳＤデータに電子透かしとして挿入されている暗号キーを取り出し、記憶部１９内の暗号化されたデータを復号する。
【００８７】
以上説明したように、本実施形態のコンテンツ記録装置３０は、他の記録媒体へのムーブによってダウンコンバートしたコンテンツが再びムーブされてきたとき、元の品質に戻すことができる。
【００８８】
また、本実施形態では、電子透かし技術を用いて暗号キーをコンテンツのデータに挿入する。電子透かしは、ダウンコンバート部１３でダウンコンバートされたコンテンツのデータが更にダウンコンバートされても電子透かしの情報が残る。そのため、本実施形態のコンテンツ記録装置３０は、コンテンツ記録装置３０から出力されたコンテンツのデータが更にダウンコンバートされた状態で記憶部１９に「ムーブ」されてきても、記憶部１９に残しておいた元の品質のコンテンツを復号することができる。
【図面の簡単な説明】
【００８９】
【図１】第１の実施形態によるコンテンツ記録装置の構成を示すブロック図である。
【図２】第１の実施形態におけるコンテンツ記録装置から他の記憶媒体への「ムーブ」の動作を示すフローチャートである。
【図３】第１の実施形態における他の記憶媒体からコンテンツ記録装置への「ムーブ」の動作を示すフローチャートである。
【図４Ａ】第１の実施形態におけるコンテンツ記録装置から他の記憶媒体への「ムーブ」の動作を説明するための概念図である。
【図４Ｂ】第１の実施形態における他の記憶媒体からコンテンツ記録装置への「ムーブ」の動作を説明するための概念図である。
【図５Ａ】第２の実施形態におけるコンテンツ記録装置から他の記憶媒体への「ムーブ」の動作を説明するための概念図である。
【図５Ｂ】第２の実施形態における他の記憶媒体からコンテンツ記録装置への「ムーブ」の動作を説明するための概念図である。
【図６】第３の実施形態によるコンテンツ記憶装置の構成を示すブロック図である。
【図７Ａ】第３の実施形態におけるコンテンツ記録装置から他の記憶媒体への「ムーブ」の動作を説明するための概念図である。
【図７Ｂ】第３の実施形態における他の記憶媒体からコンテンツ記録装置への「ムーブ」の動作を説明するための概念図である。
【図８】第４の実施形態によるコンテンツ記憶装置の構成を示すブロック図である。
【図９Ａ】第４の実施形態におけるコンテンツ記録装置から他の記憶媒体への「ムーブ」の動作を説明するための概念図である。
【図９Ｂ】第４の実施形態における他の記憶媒体からコンテンツ記録装置への「ムーブ」の動作を説明するための概念図である。
【符号の説明】
【００９０】
１０、２０、３０    コンテンツ記録装置
１１、２１、３１    出力部
１２、２２、３２    入力部
１３    ダウンコンバート部
１４    キー取出部
１５    暗号化部
１６    ＩＤチェック部
１７    キー取出部
１８    復号部
１９    記憶部
２３    データ挿入部
２４    元データ分解部
２５    挿入データ取出部
２６    元データ復元部
３３    キー生成部
３４    電子透かし挿入部
３５    キー取出部
１０１〜１０４、２０１〜２０５    ステップ
【図１】
2007193654.tif 000003
【図２】
2007193654.tif 000004
【図３】
2007193654.tif 000005
【図４Ａ】
2007193654.tif 000006
【図４Ｂ】
2007193654.tif 000007
【図５Ａ】
2007193654.tif 000008
【図５Ｂ】
2007193654.tif 000009
【図６】
2007193654.tif 000010
【図７Ａ】
2007193654.tif 000011
【図７Ｂ】
2007193654.tif 000012
【図８】
2007193654.tif 000013
【図９Ａ】
2007193654.tif 000014
【図９Ｂ】
2007193654.tif 000015